(57)【特許請求の範囲】
【請求項１】
基地局と、
前記基地局と通信する第１の端末と、
前記基地局と通信する第２の端末と、を備え、
前記基地局は、
第１のコード系列を用いてスクランブリングした下り信号を、前記第１の端末へ送信する送信部と、
前記第２の端末が上り信号のスクランブリングに用いる第２のコード系列に関する情報を、前記第１の端末に通知する制御部と、を備え、
前記第１の端末は、
前記第１のコード系列と前記第２のコード系列とを用いて、前記下り信号の受信処理を行なう受信部を備えた、無線通信システム。
【請求項２】
前記制御部は、
前記第１の端末からの前記第２のコード系列の要求に対して、前記第２のコード系列の通知を行なう、請求項１に記載の無線通信システム。
【請求項３】
前記第１の端末の前記受信部は、
前記第２のコード系列を用いて前記下り信号をデスクランブリングすることで干渉信号成分を識別し、識別した前記干渉信号成分を前記下り信号から減じた結果に、前記第１のコード系列を用いたデスクランブリングを適用する、請求項１又は２に記載の無線通信システム。
【請求項４】
前記第１の端末は、
前記下り信号の前記第１のコード系列を用いた受信と、上り信号のスクランブリングに第３のコード系列を用いた送信と、を、同一周波数にて実施する、請求項３に記載の無線通信システム。
【請求項５】
第１のコード系列を用いてスクランブリングした下り信号を、第１の端末へ送信する送信部と、
第２の端末が上り信号のスクランブリングに用いる第２のコード系列に関する情報を、前記第１の端末に通知する制御部と、
を備えた、基地局。
【請求項６】
前記制御部は、
前記第１の端末からの前記第２のコード系列の要求に対して、前記第２のコード系列の通知を行なう、請求項５に記載の基地局。
【請求項７】
基地局と通信する第１及び第２の端末のうちの前記第１の端末であって、
前記基地局が第１のコード系列を用いてスクランブリングした下り信号を受信する受信部と、
前記第２の端末が前記基地局へ送信する上り信号のスクランブリングに用いる第２のコード系列に関する情報を、前記基地局から受信する制御部と、を備え、
前記受信部は、
前記第１のコード系列と前記第２のコード系列とを用いて、前記下り信号の受信処理を行なう、端末。
【請求項８】
前記制御部は、前記第２のコード系列に関する情報を前記基地局に要求する、請求項７に記載の端末。
【請求項９】
前記基地局宛に上り信号を送信する送信部を備え、
前記制御部は、
前記下り信号の前記第１のコード系列を用いた前記受信部による受信と、前記上り信号のスクランブリングに第３のコード系列を用いた前記送信部による送信と、を、同一周波数に制御する、請求項７又は８に記載の端末。
【発明の詳細な説明】
【技術分野】
【０００１】
本明細書に記載する技術は、無線通信システム、基地局、及び、端末に関する。
【背景技術】
【０００２】
通信の態様として、全二重（full duplex, FD）通信と半二重（half duplex, HD）通信とが知られている。【０００３】
ＦＤ通信では、送信を行ないながら受信を行なうことが可能である。ＦＤ通信は、例えば、送信と受信とで異なる周波数を用いる周波数分割複信（frequency division duplex, FDD）で実施される。【０００４】
これに対し、ＨＤ通信では、或る時間において送信及び受信の一方のみを行なう。ＨＤ通信は、例えば、送信と受信とで同一周波数を用い、送信と受信とを時間的に分ける時分割複信（time division duplex, TDD）で実施される。
【先行技術文献】
【特許文献】
【０００５】
【特許文献１】国際公開第２０１２／１０５０５７号
【特許文献２】国際公開第２０１０／１４６６１７号
【特許文献３】国際公開第２０１５／１９０３１３号
【特許文献４】国際公開第２０１５／１０７９７８号
【非特許文献】
【０００６】
【非特許文献１】3GPP TS36.V211 V8.9.0 (2009-12)
【非特許文献２】3GPP TR25.766 V13.0.0 (2015-09)
【発明の概要】
【発明が解決しようとする課題】
【０００７】
無線通信システムにおいて、例えば、基地局と端末との間で、１つの周波数帯域においてＦＤ通信を実施しようとすると、或る端末の下り（ダウンリンク，ＤＬ）の受信に対して、他の端末の上り（アップリンク，ＵＬ）の送信が干渉し得る。当該干渉が生じると、端末でのＤＬの受信品質が低下する。【０００８】
１つの側面では、本明細書に記載する技術の目的の１つは、基地局から端末への下り信号の受信品質を向上することにある。
【課題を解決するための手段】
【０００９】
１つの側面において、無線通信システムは、基地局と、基地局と通信する第１の端末と、基地局と通信する第２の端末と、を備えてよい。基地局は、送信部と制御部とを備えてよい。送信部は、第１のコード系列を用いてスクランブリングした下り信号を、前記第１の端末へ送信してよい。制御部は、前記第２の端末が上り信号のスクランブリングに用いる第２のコード系列に関する情報を、前記第１の端末に通知してよい。一方、前記第１の端末は、前記第１のコード系列と前記第２のコード系列とを用いて、前記下り信号の受信処理を行なう受信部を備えてよい。【００１０】
また、１つの側面において、基地局は、送信部と制御部とを備えてよい。送信部は、第１のコード系列を用いてスクランブリングした下り信号を、第１の端末へ送信してよい。制御部は、第２の端末が上り信号のスクランブリングに用いる第２のコード系列に関する情報を、前記第１の端末に通知してよい。【００１１】
更に、１つの側面において、基地局と通信する第１及び第２の端末のうちの前記第１の端末は、受信部と制御部とを備えてよい。受信部は、基地局が第１のコード系列を用いてスクランブリングした下り信号を受信してよい。制御部は、前記第２の端末が前記基地局へ送信する上り信号のスクランブリングに用いる第２のコード系列に関する情報を、前記基地局から受信してよい。そして、受信部は、前記第１のコード系列と前記第２のコード系列とを用いて、前記下り信号の受信処理を行なってよい。
【発明の効果】
【００１２】
１つの側面として、基地局から端末への下り信号の受信品質を向上できる。
【図面の簡単な説明】
【００１３】
【図１】一実施形態に係る無線通信システムの構成例を示すブロック図である。
【図２】同一周波数を用いたＦＤ通信において信号間干渉が生じるケースの一例を模式的に示す図である。
【図３】同一周波数を用いたＦＤ通信において信号間干渉が生じるケースの一例を模式的に示す図である。
【図４】一実施形態に係る無線通信システムの動作例を模式的に示す図である。
【図５】第１実施例に係る無線通信システムの動作例を示すシーケンス図である。
【図６】第１実施例に係る基地局における干渉制御の動作例を示すフローチャートである。
【図７】第１実施例に係る無線端末の動作例を示すフローチャートである。
【図８】第１実施例の変形例を説明するためのシーケンス図である。
【図９】第１実施例の変形例を説明するためのシーケンス図である。
【図１０】第２実施例に係る無線通信システムの動作例を示すシーケンス図である。
【図１１】第２実施例に係る無線端末の動作例を示すフローチャートである。
【図１２】第２実施例に係る基地局の動作例を示すフローチャートである。
【図１３】第２実施例の変形例を説明するためのシーケンス図である。
【図１４】第２実施例の変形例を説明するためのシーケンス図である。
【図１５】一実施形態に係る基地局の構成例を示すブロック図である。
【図１６】一実施形態に係る無線端末の構成例を示すブロック図である。
【図１７】一実施形態に係る干渉キャンセラの第１構成例を示すブロック図である。
【図１８】一実施形態に係る干渉キャンセラの第２構成例を示すブロック図である。
【図１９】（Ａ）及び（Ｂ）は、一実施形態に係る基地局と無線端末との間の通信に使用されるスクランブリングコード（又は拡散コード）の一例を説明するための模式図である。
【発明を実施するための形態】
【００１４】
以下、図面を参照して実施の形態を説明する。ただし、以下に説明する実施形態は、あくまでも例示であり、以下に明示しない種々の変形や技術の適用を排除する意図はない。また、以下に説明する各種の例示的態様は、適宜に組み合わせて実施しても構わない。なお、以下の実施形態で用いる図面において、同一符号を付した部分は、特に断らない限り、同一若しくは同様の部分を表す。
【００１５】
図１は、一実施形態に係る無線通信システムの構成例を示すブロック図である。図１に示す無線通信システム１は、例示的に、無線端末１１と、基地局１２と、コアネットワーク１３と、を備えてよい。なお、図１の例では、１台の無線端末１１と１台の基地局１２とに着目しているが、無線端末１１及び基地局１２は、いずれも、無線通信システム１において２台以上存在してよい。
【００１６】
無線端末１１は、基地局１２が形成又は提供する無線エリアにおいて基地局１２と無線通信することが可能である。「無線端末」は、「無線デバイス」、「無線装置」、あるいは「端末装置」等と称されてもよい。
【００１７】
無線端末１１は、その位置が変化しない固定端末であってもよいし、その位置が変化する移動端末（「移動機」と称してもよい。）であってもよい。非限定的な一例として、無線端末１１は、携帯電話やスマートフォン、タブレット端末等の移動可能なＵＥであってよい。「ＵＥ」は、「User Equipment」の略称である。
【００１８】
基地局１２は、無線端末１１との無線通信を可能にする無線エリアを形成又は提供する。「無線エリア」は、「セル」、「カバレッジエリア」、「通信エリア」、「サービスエリア」等と称されてもよい。
【００１９】
基地局１２は、例示的に、3rd generation partnership project（３ＧＰＰ）のlong term evolution（ＬＴＥ）やＬＴＥ−Ａｄｖａｎｃｅｄ（以下「ＬＴＥ」と総称する。）に準拠した「ｅＮＢ」であってよい。
【００２０】
「ｅＮＢ」は、「evolved Node B」の略称である。なお、remote radio equipment（ＲＲＥ）やremote radio head（ＲＲＨ）等と称される、基地局本体から分離されて遠隔地に配置された通信ポイントが、基地局１２に該当してもよい。
【００２１】
基地局１２が形成又は提供する「セル」は「セクタセル」に分割されてもよい。「セル」には、マクロセルやスモールセルが含まれてよい。スモールセルは、マクロセルよりも電波到達範囲（カバレッジ）の小さいセルの一例である。
【００２２】
スモールセルは、カバレッジエリアに応じて呼称が異なってよい。例えば、スモールセルは、「フェムトセル」、「ピコセル」、「マイクロセル」、「ナノセル」、「メトロセル」、「ホームセル」等と称されてもよい。
【００２３】
コアネットワーク１３には、図１に例示するように、ＳＧＷ３１、ＭＭＥ３２、及び、ＰＧＷ３３が含まれてよい。「ＳＧＷ」は、「Serving Gateway」の略称である。「ＰＧＷ」は、「Packet Data Network Gateway」の略称である。「ＭＭＥ」は、「Mobility Management Entity」の略称である。
【００２４】
コアネットワーク１３は、基地局１２に対する「上位ネットワーク」に相当すると捉えてよい。ＳＧＷ３１、ＭＭＥ３２、及び、ＰＧＷ３３は、「コアネットワーク」のエレメント（ＮＥ）あるいはエンティティに相当すると捉えてよく、「コアノード」と総称してよい。
【００２５】
基地局１２は、コアネットワーク１３に、有線インタフェースの一例である「Ｓ１インタフェース」によって接続されてよい。ただし、基地局１２は、無線インタフェースによってコアネットワーク１３と通信可能に接続されても構わない。
【００２６】
基地局１２とコアネットワーク１３とを含むネットワークは、無線アクセスネットワーク（ＲＡＮ）と称されてもよい。ＲＡＮの一例は、「Evolved Universal Terrestrial Radio Access Network, E-UTRAN」である。
【００２７】
また、基地局１２は、例示的に、ＳＧＷ３１及びＭＭＥ３２と通信可能に接続されてよい。基地局１２と、ＳＧＷ３１及びＭＭＥ３２と、の間は、例えば、Ｓ１インタフェースと称されるインタフェースによって通信可能に接続されてよい。
【００２８】
ＳＧＷ３１は、Ｓ５インタフェースと称されるインタフェースによってＰＧＷ３３と通信可能に接続されてよい。ＰＧＷ３３は、インターネットやイントラネット等のパケットデータネットワーク（ＰＤＮ）と通信可能に接続されてよい。
【００２９】
ＳＧＷ３１及びＰＧＷ３３を介して、無線端末１１とＰＤＮとの間でユーザパケットの送受信が可能である。ユーザパケットは、ユーザデータの一例であり、ユーザプレーン信号と称してもよい。
【００３０】
例示的に、ＳＧＷ３１は、ユーザプレーン信号を処理してよい。制御プレーン信号は、ＭＭＥ３２が処理してよい。ＳＧＷ３１は、Ｓ１１インタフェースと称されるインタフェースによってＭＭＥ３２と通信可能に接続されてよい。
【００３１】
ＭＭＥ３２は、例示的に、無線端末１１の位置情報を管理する。ＳＧＷ３１は、ＭＭＥ３２で管理されている位置情報を基に、例えば、無線端末１１の移動に伴うユーザプレーン信号のパス切り替え等の移動制御を実施してよい。移動制御には、無線端末１１のハンドオーバに伴う制御が含まれてよい。
ｅＮＢが形成する無線エリアは、「セル」又は「セクタ」であってよい。ｅＮＢが形成するセルは、「マクロセル」と称されてよい。マクロセルを形成する無線基地局（ｅＮＢ）は、「マクロ基地局」、「マクロｅＮＢ」、又は、「ＭｅＮＢ」等と称されてもよい。
【００３２】
なお、「セル」は、無線基地局が送信する無線電波の到達可能範囲（「カバレッジ」と称してもよい。）に応じて形成される無線エリアの一例である。セル内に位置する移動局等の無線機器が、当該セルを形成する無線基地局と無線通信することが可能である。
【００３３】
ＬＴＥでは、マクロセルの他にスモールセル（ＳＣ）を活用してシステム容量の増大を図る技術に関する議論が行なわれている。例えば、マクロセル（ＭＣ）に、マクロセルよりもカバレッジの小さい「スモールセル」が配置されることがある。
【００３４】
「スモールセル」には、例示的に、「ホームセル」、「フェムトセル」、「ピコセル」、「マイクロセル」、「メトロセル」等と称されるセルが含まれてよい。
【００３５】
ｅＮＢ１２は、ＵＥ１１との通信に用いる無線リソースの設定（「割当」と称してもよい。）を制御してよい。当該制御は、「スケジューリング」と称されてもよい。無線リソース（単に「リソース」と称することもある）は、例示的に、周波数領域及び時間領域によって２次元的に区別されてよい。
【００３６】
ｅＮＢ１２は、ＵＥ１１との通信に利用可能な無線リソースを、周波数領域及び時間領域で分割した単位でスケジューリングを実施してよい。
【００３７】
ＵＥ１１とｅＮＢ１２との間の無線通信には、時分割複信（Time Division Duplex：TDD）、及び、周波数分割複信（Frequency Division Duplex：FDD）のいずれが適用されてもよい。
【００３８】
ＴＤＤでは、１つの周波数（又は周波数帯域）を用いて、下り（ダウンリンク，ＤＬ）の通信と、上り（アップリンク，ＵＬ）の通信と、が異なる時間に実施される。
【００３９】
例えば、ｅＮＢ１２は、ＵＥ１１に対して、１つの周波数帯域においてＤＬ通信のための時間とＵＬ通信のための時間とを異なる時間にスケジューリングする。したがって、ｅＮＢ１２及びＵＥ１１は、１つの周波数帯域において送信と受信とを異なる時間に実施する。
【００４０】
これに対し、ＦＤＤでは、ＤＬの通信とＵＬの通信とが異なる周波数（又は周波数帯域）を用いて実施される。
【００４１】
例えば、ｅＮＢ１２は、ＤＬ通信のための周波数とＵＬ通信のための周波数とを通信のタイミングに関わらず異なる周波数にスケジューリングしてよい。したがって、ｅＮＢ１２及びＵＥ１１は、送信を行ないながら送信周波数とは異なる周波数にて受信を行なうことができる。
【００４２】
ＦＤＤは、送信と受信とを同時に実施できるから、全二重（full duplex, FD）通信の一例である。ＴＤＤは、１つの周波数帯域において送信と受信とを同時には実施できない（実施すると信号間干渉が生じて通信が不能になる）から、半二重（half duplex, HD）通信の一例である。
【００４３】
例えば、同一周波数（仮に、「ｆ１」と表記する。）を用いたＦＤ通信では、以下に例示する４つのケースの信号間干渉が生じ得る。
【００４４】
（１）ＵＥ１１の内部において、ｅＮＢ１２へのＵＬの送信信号が、当該ｅＮＢ１２からのＤＬの受信信号に干渉し得る。最悪の場合、ＵＥ１１は、ＤＬ受信が正常に行なえなくなる。
【００４５】
（２）また、図２に模式的に例示するように、或るＵＥ１１Ａにおいて、ｅＮＢ１２からのＤＬの受信信号に対して、当該ＵＥ１１Ａの近傍に位置する他のＵＥ１１ＢのＵＬの送信信号が干渉し得る。仮に、ＵＥ１１Ａがセル端に位置しており、ｅＮＢ１２からのＤＬの受信電力が、ＵＥ１１ＢのＵＬの送信信号による干渉電力よりも小さくなると、最悪の場合、ＵＥ１１Ａは、ＤＬの受信が正常に行なえなくなる。
【００４６】
（３）一方、ｅＮＢ１２では、ＵＥ１１へのＤＬの送信信号が、ＵＥ１１からのＵＬの受信信号に干渉し得る。最悪の場合、基地局１２は、ＵＬ受信が正常に行なえなくなる。
【００４７】
（４）また、ｅＮＢ１２では、図３に模式的に例示するように、ＵＥ１１ＢへのＤＬの送信信号が、当該ｅＮＢ１２の近傍に位置する他のＵＥ１１Ａから受信されるＵＬの信号に干渉し得る。仮に、セル中心に位置するＵＥ１１ＡからのＵＬの受信電力が、セル端に位置するＵＥ１１ＢへのＤＬの送信電力よりも小さくなると、最悪の場合、ｅＮＢ１２は、ＵＬ受信を正常に行なえなくなる。
【００４８】
そこで、以下では、例えば、ｅＮＢ１２が、ｅＮＢ１２又はＵＥ１１の通信において干渉となり得る他の通信（ＵＬ及びＤＬの一方又は双方の通信）で使用されるパラメータに関する情報を、ＵＥ１１に通知する。
【００４９】
「パラメータに関する情報」の一例は、信号のスクランブリング及び拡散の一方又は双方に用いられるコード系列の情報（以下、便宜的に「コード情報」と総称することがある。）である。異なる通信で同じ無線リソースが使用されても、コード情報によって個々の通信を識別、分離することが可能である。
【００５０】
なお、スクランブリングに用いられるコード系列は、「スクランブリングコード」と称してよく、拡散に用いられるコード系列は、「拡散コード」と称してよい。
【００５１】
コードには、直交符号が用いられてよい。直交符号の非限定的な一例としては、直交可変拡散率（Orthogonal Variable Spreading Factor, OVSF）コードや、Ｇｏｌｄコードが挙げられる。
【００５２】
チャネライゼーションコードとスクランブリングコードとを用いて２階層の「拡散」が実施される場合、チャネライゼーションコードに、ＯＶＳＦコードが用いられることがあり、スクランブリングコードに、Ｇｏｌｄコードが用いられることがある。
【００５３】
なお、「スクランブリング」は、１ビットの情報に対して１ビット又は複数ビットの符号を乗算することであるのに対し、「拡散」は、１ビットの情報に対して複数ビットの情報を乗算することである。したがって、「スクランブリング」は、「拡散」を含む概念であると捉えてもよい。
【００５４】
「コード情報」は、コード系列を明示的に（あるいは直接に）表示する情報に限られなくてよい。例えば、コード系列を識別するための識別子（ＩＤ）や、コード系列の生成に用いられる情報等の、コード系列を暗示的（あるいは間接的）に表示する情報が、「コード情報」に該当してもよい。
【００５５】
ｅＮＢ１２は、或る通信（第１の通信）に干渉し得る他の通信（第２の通信）で使用されるコード情報を、ＵＥ１１に通知してよい。
【００５６】
ＵＥ１１は、通知されたコード情報を用いて、受信信号（「希望波信号」と称してもよい。）において、他の通信による干渉波信号成分（以下「干渉信号」と略称することがある。）を識別することで干渉信号を除去又は抑圧できる。なお、「除去」は「キャンセル」と言い換えてもよく、「抑圧」は「抑制」又は「低減」と言い換えてもよい。
【００５７】
前項（１）のケースでは、ＵＥ１１のｅＮＢ１２からのＤＬ通信（受信）が「第１の通信」に該当し、当該ＵＥ１１のｅＮＢ１２へのＵＬ通信（送信）が「第１の通信」に対する干渉源となり得る「第２の通信」に該当する。
【００５８】
前項（２）のケース（図２の例）では、第１のＵＥ１１ＡのｅＮＢ１２からのＤＬ通信（受信）が「第１の通信」に該当し、第２のＵＥ１１ＢからｅＮＢ１２へのＵＬ通信（送信）が「第１の通信」に対する干渉源となり得る「第２の通信」に該当する。
【００５９】
前項（３）のケースでは、ｅＮＢ１２のＵＥ１１からのＵＬ通信（受信）が「第１の通信」に該当し、当該ｅＮＢ１２のＵＥ１１へのＤＬ通信（送信）が「第１の通信」に対する干渉源となり得る「第２の通信」に相当する。
【００６０】
前項（４）のケース（図３の例）では、ｅＮＢ１２の第１のＵＥ１１ＡからのＵＬ通信（受信）が「第１の通信」に該当し、当該ｅＮＢ１２の第２のＵＥ１１ＢへのＤＬ通信（送信）が「第１の通信」に対する干渉源となり得る「第２の通信」に該当する。
【００６１】
ここで、前項（１）のケースは、ＵＥ１１自身のＤＬ受信にＵＬ送信が内部で干渉する例であり、前項（３）のケースは、ｅＮＢ１２自身のＵＬ受信にＤＬ送信が内部で干渉する例である。ＵＥ１１及びｅＮＢ１２のいずれにしても、自身が各通信で使用するコード情報は既知であると考えてよいので、コード情報の「通知」は不要でよい。ただし、「通知」が禁じられるわけではない。
【００６２】
また、前項（４）のケースでは、ＵＬ受信の干渉源となり得るＤＬ送信に使用するコード情報は、ｅＮＢ１２において既知であると考えてよいから、コード情報の「通知」は不要でよい。ただし、「通知」が禁じられるわけではない。
【００６３】
以上より、ｅＮＢ１２は、少なくとも前項（２）のケース（図２の例）において、例えば図４に示すように、第２のＵＥ１１ＢがｅＮＢ１２へのＵＬ送信に使用するコード情報Ｓｃ（spreading code or scrambling code）＃２を、第１のＵＥ１１Ａに通知してよい。
【００６４】
なお、図４において、Ｓｃ＃１は、ｅＮＢ１２が、第１のＵＥ１１ＡへのＤＬ送信に使用するコード情報を表す。Ｓｃ＃１は、第１のコード系列の一例であり、Ｓｃ＃２は、第２のコード系列の一例である。
【００６５】
これにより、ＵＥ１１Ａは、ｅＮＢ１２からのＤＬの受信信号において、通知されたコード情報Ｓｃ＃２を用いて、他のＵＥ１１ＢのＵＬ送信による干渉信号を識別して干渉信号を除去又は抑圧することが可能になる。
【００６６】
なお、コード情報は、特定のＵＥ１１に対して個別的に通知されてもよいし、複数のＵＥ１１宛に報知されてもよい。別言すると、コード情報は、ｅＮＢ１２が無線エリアに報知する報知情報に含められてもよい。
【００６７】
（動作例）
以下、上述した無線通信システム１の動作例について幾つかの実施例を説明する。
【００６８】
（第１実施例）
図５は、第１実施例に係る無線通信システム１の動作例を示すシーケンス図である。図５に例示するようにｅＮＢ１２は、周期的又は非周期的に既知信号を送信してよい（処理Ｐ１１）。既知信号は、ＵＥ１１とｅＮＢ１２との間で既知の信号であって、例示的に、パイロット信号であってよい。
【００６９】
パイロット信号は、ＤＬの共通パイロット信号であってよい。共通パイロット信号は、例示的に、セル共通のリファレンス信号（common RS）であってもよいし、セル固有のＲＳ（cell specific RS）であってもよい。
【００７０】
ＵＥ１１は、ｅＮＢ１２が送信した既知信号を受信すると、ＤＬの無線回線品質の測定を実施してよい（図５及び図７の処理Ｐ１２）。「無線回線」は、「無線チャネル」と称してもよい。ＵＥ１１による無線チャネル品質の測定は、周期的に実施されてもよいし非周期的に実施されてもよい。
【００７１】
「無線チャネル品質」の指標は、例示的に、ＲＳの受信電力（RS received power, RSRP）や、ＲＳの受信品質（RS received quality, RSRQ）、ＲＳのＳＩＲ（RS signal to interference ratio, RS SIR）、チャネル品質指標（channel quality indicator, CQI）等であってよい。
【００７２】
ＵＥ１１は、無線チャネル品質の測定結果をｅＮＢ１２宛に送信（「通知」と称してもよい。）してよい（図５及び図７の処理Ｐ１３）。ＵＥ１１からｅＮＢ１２への測定結果の通知についても、周期的に実施されてもよいし非周期的に実施されてもよい。
【００７３】
ｅＮＢ１２は、ＵＥ１１から無線チャネル品質の測定結果を受信すると、「干渉制御」を実施してよい（処理Ｐ１４）。
【００７４】
例えば図６に示すように、ｅＮＢ１２は、無線チャネル品質の測定結果をＵＥ１１から受信したか否かを監視、判定し（処理Ｐ１４１）、受信していれば（ＹＥＳ）、受信した測定結果が所定の閾値よりも低いか否かを判定してよい（処理Ｐ１４２）。
【００７５】
仮に、無線チャネル品質の測定結果がＲＳＲＱであったとすると、ｅＮＢ１２は、受信ＲＳＲＱが所定の閾値ＴＨＲＳＲＱよりも小さいか否かを判定してよい。
【００７６】
当該判定は、ＵＥ１１でのＤＬの無線チャネル品質の測定結果が、所定の閾値品質よりも低いか否かを判定することに相当する。別言すると、当該判定は、ＵＥ１１とｅＮＢ１２との間の通信に対する他通信による干渉の影響が所定の閾値よりも大きいか否かを判定することに相当する。
【００７７】
判定の結果、ＵＥ１１でのＤＬの無線チャネル品質の測定結果が、所定の閾値品質よりも低ければ（処理Ｐ１４２でＹＥＳ）、ｅＮＢ１２は、ＵＥ１１でのＤＬ受信に対して干渉となり得る他の通信で使用するコード情報を決定してよい（処理Ｐ１４３）。「干渉となり得る他の通信で使用するコード情報」は、便宜的に、「干渉波コード情報」と称してよい。
【００７８】
なお、ＵＥ１１でのＤＬ受信に対して干渉となり得る他の通信の一例としては、当該ＵＥ１１自身のＵＬ送信や、同一無線リソース及び隣接無線リソースの一方又は双方を用いる他のＵＥ１１の通信（例えばＵＬ送信）が挙げられる。
【００７９】
ｅＮＢ１２は、決定した干渉波コード情報を、無線チャネル品質測定結果の送信元ＵＥ１１宛に、送信、通知してよい（図５及び図６の処理Ｐ１５）。その後、ｅＮＢ１２は、当該ＵＥ１１宛に、データ信号（例えば、ユーザデータ）を送信してよい（図５の処理Ｐ１６）。
【００８０】
なお、ＵＥ１１から無線チャネル品質の測定結果が受信されない場合（図６の処理Ｐ１４１でＮＯ）、及び、無線チャネル品質の測定結果が閾値以上であった場合（図６の処理Ｐ１４２でＮＯ）、ｅＮＢ１２は、処理Ｐ１４１へ処理を移行してよい。
【００８１】
別言すると、これらの場合、ｅＮＢ１２は、干渉波コード情報を、ＵＥ１１に通知しなくてよい。ただし、無線チャネル品質の測定結果が閾値以上であっても、干渉波コード情報をＵＥ１１に通知することとしても構わない。
【００８２】
一方、ＵＥ１１は、例えば図７に示すように、ｅＮＢ１２から他通信で使用されるコード情報（別言すると、干渉波コード情報）が受信されるか否かを判定する（処理Ｐ１５ａ）。
【００８３】
干渉波コード情報が受信されれば（処理Ｐ１５ａでＹＥＳ）、ＵＥ１１は、受信したコード情報を用いて、ＤＬの受信信号に含まれる干渉信号を識別し、当該干渉信号を除去又は抑圧する（図５及び図７の処理Ｐ１７）。ＤＬの受信信号は、例えば図５の処理Ｐ１６でｅＮＢ１２がＵＥ１１宛に送信したデータ信号である。
【００８４】
例えば、干渉波コード情報が拡散コードであれば、拡散コードを用いて受信信号を逆拡散することで、干渉や雑音に埋もれている受信希望波であるデータ信号を識別、抽出することが可能である。
【００８５】
受信信号において干渉信号を除去又は抑圧した上で、ＵＥ１１は、受信信号の復調及び復号を実施してよい（図５及び図７の処理Ｐ１８）。これにより、ＵＥ１１におけるＤＬの受信品質を向上でき、ＤＬの伝送速度やスループットを向上できる。
【００８６】
ｅＮＢ１２から干渉波コード情報が受信されない場合（図７の処理Ｐ１５ａでＮＯ）、ＵＥ１１は、受信信号を通常通りに復調及び復号してよい（処理Ｐ１８）。
【００８７】
なお、上述した例において、干渉信号の除去又は抑圧のためにｅＮＢ１２からＵＥ１１に通知する情報は、干渉波コード情報に限られなくてよい。
【００８８】
例えば、ｅＮＢ１２は、干渉波コード情報と共に、あるいは、個別に、ＵＥ１１のＤＬ受信に対して干渉となり得る他の通信で用いられる変調方式及び符号化方式の一方又は双方に関する情報を、ＵＥ１１に通知してもよい。変調方式及び符号化方式の双方に関する情報の一例は、ＭＣＳ情報である。「ＭＣＳ」は、「modulation and coding scheme」の略称である。
【００８９】
ＵＥ１１は、受信信号を復調及び復号する際に、ｅＮＢ１２から通知された、他通信の変調方式及び符号化方式の一方又は双方に関する情報を用いることで、受信信号に含まれる干渉信号の識別精度を向上できる。したがって、ＵＥ１１は、受信信号に含まれる干渉信号の除去性能又は抑圧性能を向上できる。
【００９０】
なお、干渉波コード情報の非限定的な一例としては、拡散コード、拡散コード識別子（ＩＤ）、スクランブリングコード、スクランブリングコードＩＤ、スクランブリングコードを生成するための情報等が挙げられる（以下、同様）。
【００９１】
スクランブリングコードを生成するための情報の一例としては、非特許文献１の６．３．１節及び７．２節に記載されるような、スロット番号（ｎｓ）、端末識別情報（Ｃ−ＲＮＴＩ，ｎＲＮＴＩ）、セルＩＤ（ＮＣｅｌｌＩＤ）等が挙げられる（以下、同様）。
【００９２】
（第１実施例の変形例）
図８に例示した、パイロット信号の送信（処理Ｐ１１）、無線チャネル品質の測定結果の通知（処理Ｐ１３）、及び、コード情報の通知（処理Ｐ１５）の一部又は全部は、半二重（half duplex, HD）通信にて実施されてよい（例えば図９参照）。
【００９３】
例えば、ｅＮＢ１２は、パイロット信号の送信及びコード情報の通知の一方又は双方をＨＤ通信用に設定した無線リソース（便宜的に「ＨＤリソース」と称してよい。）にて実施してよい。
【００９４】
ＨＤリソースでの通信は、送信及び受信の一方に限られるから、全二重（full duplex, FD）通信に比して、他通信による干渉発生を回避あるいは抑圧し易い。したがって、ＨＤリソースにてパイロット信号やコード情報を送信することで、ＵＥ１１が干渉波コード情報を未受信で、干渉除去又は抑圧のための処理又は制御が動作しない状態であっても、ＵＥ１１におけるパイロット信号やコード情報の受信品質を向上し易い。
【００９５】
ＨＤリソースにてコード情報をＵＥ１１に通知した後の通信、例えば、ｅＮＢ１２からＵＥ１１へのデータ信号の送信（処理Ｐ１６）に関しては、ＵＥ１１において干渉除去又は抑圧のための処理又は制御が動作可能となるので、ＦＤ通信で構わない。
【００９６】
例えば、ｅＮＢ１２は、コード情報をＵＥ１１に通知した後の当該ＵＥ１１との通信を、ＨＤ通信からＦＤ通信に切り替えてよい。例示的に、ｅＮＢ１２は、ＦＤ通信用に設定した無線リソース（便宜的に「ＦＤリソース」と称してよい。）にて、ＵＥ１１へデータ信号の送信を実施してよい。
【００９７】
なお、ＵＥ１１での無線チャネル品質測定（処理Ｐ１２）については、他通信による干渉が無い状況あるいは抑圧された状況で実施するよりも、他通信による干渉が存在する状況で実施した方が好ましい場合もある。
【００９８】
他通信による干渉が無い状況あるいは抑圧された状況では、ｅＮＢ１２からＵＥ１１へ干渉波コード情報が通知されない場合（例えば図６の処理Ｐ１４２でＮＯの場合）があるためである。
【００９９】
そのため、パイロット信号の送信についてはＦＤリソースにて実施されてもよい。例えば図９に示すように、ＵＥ１１は、ＦＤリソースにてパイロット信号を受信し、ＨＤリソースにて無線チャネル品質の測定結果をｅＮＢ１２宛に送信してよい。
【０１００】
（第２実施例）
ＵＥ１１に対する干渉波コード情報の通知は、ＵＥ１１がｅＮＢ１２に対してコード情報の送信を要求することで実施されてもよい。
【０１０１】
図１０に、第２実施例に係る無線通信システム１の動作例を示す。また、図１１に、第２実施例に係るＵＥ１１の動作例を示し、図１２に、第２実施例に係るｅＮＢ１２の動作例を示す。
【０１０２】
図１０及び図１１に例示するように、ＵＥ１１は、無線チャネル品質に関する閾値を設定してよい（処理Ｐ２２及びＰ３２）。当該閾値は、ｅＮＢ１２から通知されてもよいし（処理Ｐ２１及びＰ３１）、予めＵＥ１１において記憶されていてもよい。なお、当該閾値は、例示的に、第１実施例（図６）の処理Ｐ１４２において、ｅＮＢ１２が無線チャネル品質の測定結果との比較に用いた閾値と同等な閾値であってよい。
【０１０３】
ＵＥ１１は、ｅＮＢ１２が周期的又は非周期的に送信した既知信号（図１０の処理Ｐ２３）を受信すると（図１１の処理Ｐ３３）、第１実施例と同様にして、無線チャネル品質の測定を実施してよい（図１０の処理Ｐ２４及び図１１の処理Ｐ３４）。なお、既知信号は、第１実施例同様に、例えば、パイロット信号であってよい。
【０１０４】
無線チャネル品質が測定されると、ＵＥ１１は、測定結果と設定した閾値とを比較することで、測定結果が閾値未満であるか否か、別言すると、ＤＬの無線チャネル品質が所定の閾値品質よりも低いか否かを判定してよい（図１１の処理Ｐ３５）。
【０１０５】
無線チャネル品質の測定結果が閾値未満であれば（処理Ｐ３５でＹＥＳ）、ＵＥ１１は、ＤＬ受信の干渉となり得る他の通信のコード情報、別言すると、干渉波コード情報をｅＮＢ１２に要求してよい（図１０の処理Ｐ２５及び図１１の処理Ｐ３６）。
【０１０６】
なお、無線チャネル品質の測定結果が閾値以上であれば（図１１の処理Ｐ３５でＮＯ）、ＵＥ１１は、ｅＮＢ１２に対してコード情報の要求を実施しなくてよい。この場合、ＵＥ１１は、その後に受信されるＤＬの信号（例えばデータ信号）を通常通りに復調及び復号してよい（処理Ｐ３９）。
【０１０７】
一方、ｅＮＢ１２は、ＵＥ１１からコード情報の要求が受信されると、干渉制御を実施してよい（図１０の処理Ｐ２６）。例えば、ｅＮＢ１２は、図１２に例示するように、ＵＥ１１からコード情報の要求が受信されるか否かを監視、判定している（処理Ｐ２６１）。
【０１０８】
コード情報の要求が受信されれば（処理Ｐ２６１でＹＥＳ）、ｅＮＢ１２は、ＵＥ１１でのＤＬ受信に対して干渉となり得る他の通信で使用するコード情報を決定してよい（処理Ｐ２６２）。
【０１０９】
そして、ｅＮＢ１２は、決定したコード情報を、要求元のＵＥ１１宛に送信、通知してよい（図１０及び図１２の処理Ｐ２７）。コード情報の送信後、ｅＮＢ１２は、コード情報要求元のＵＥ１１宛に、データ信号を送信してよい（図１０の処理Ｐ２８）。
【０１１０】
なお、ＵＥ１１からコード情報の要求が受信されない場合（図１２の処理Ｐ２６１でＮＯ）、ｅＮＢ１２は、コード情報の要求が受信されるか否かを継続して監視してよい。別言すると、ｅＮＢ１２は、干渉波コード情報を、ＵＥ１１に通知しなくてよい。
【０１１１】
一方、ＵＥ１１は、ｅＮＢ１２からコード情報が受信されると（図１１の処理Ｐ３７）、第１実施例と同様、当該コード情報を用いて、受信信号に含まれる干渉信号を識別し、当該干渉信号を除去又は抑圧する（図１０の処理Ｐ２９及び図１１の処理Ｐ３８）。受信信号は、例えば図１０の処理Ｐ２８でｅＮＢ１２がＵＥ１１宛に送信したデータ信号である。
【０１１２】
受信信号において干渉信号を除去又は抑圧した上で、ＵＥ１１は、受信信号の復調及び復号を実施してよい（図１０の処理Ｐ３０及び図１１の処理Ｐ３９）。これにより、ＵＥ１１におけるＤＬの受信品質を向上でき、ＤＬの伝送速度やスループットを向上できる。
【０１１３】
なお、第１実施例と同様に、ｅＮＢ１２は、例えば、干渉波コード情報と共に、あるいは、個別に、ＵＥ１１のＤＬ受信に対して干渉となり得る他の通信で用いられる変調方式及び符号化方式の一方又は双方に関する情報を、ＵＥ１１に通知してもよい。
【０１１４】
変調方式及び符号化方式の一方又は双方に関する情報の通知についても、コード情報の通知と同様に、ｅＮＢ１２がＵＥ１１から要求を受信することで実施してよい。ＵＥ１１は、変調方式及び符号化方式の一方又は双方に関する情報の要求を、コード情報の要求と共に、あるいは、個別に実施してよい。
【０１１５】
（第２実施例の変形例）
第１実施例と同様、図１０に例示した、閾値の通知（処理Ｐ２１）、パイロット信号の送信（処理Ｐ２３）、コード情報の要求（処理Ｐ２５）、及び、コード情報の通知（処理Ｐ２７）の一部又は全部は、ＨＤ通信にて実施されてよい（例えば図１３参照）。
【０１１６】
例えば、ｅＮＢ１２は、閾値の通知、パイロット信号の送信、コード情報の要求、及び、コード情報の通知の一部又は全部に対してＨＤリソースを割り当ててよい。
【０１１７】
ＨＤリソースにて、閾値の通知や、パイロット信号の送信、コード情報の要求、コード情報の通知が実施されることで、それぞれの受信品質を向上し易い。
【０１１８】
ＨＤリソースにてコード情報がＵＥ１１に通知された後の通信、例えば、ｅＮＢ１２からＵＥ１１へのデータ信号の送信（処理Ｐ２８）に関しては、ＵＥ１１において干渉除去又は抑圧のための処理又は制御が動作可能となるので、ＦＤ通信で構わない。
【０１１９】
例えば、ｅＮＢ１２は、コード情報をＵＥ１１に通知した後の当該ＵＥ１１との通信を、ＨＤ通信からＦＤ通信に切り替えてよい。例示的に、ｅＮＢ１２は、ＦＤリソースにて、ＵＥ１１へデータ信号の送信を実施してよい。
【０１２０】
なお、第１実施例で既述のとおり、ＵＥ１１での無線チャネル品質測定（図１０の処理Ｐ２４）については、他通信による干渉が存在する状況で実施した方が好ましい場合もあるから、パイロット信号の送信についてはＦＤリソースにて実施されてもよい。
【０１２１】
例えば図１４に示すように、ＵＥ１１は、ＦＤリソースにてパイロット信号を受信して無線チャネル品質の測定を実施し、ｅＮＢ１２に対するコード情報の要求については、ＨＤリソースにて実施してよい。
【０１２２】
（ｅＮＢ１２及びＵＥ１１の構成例）
次に、図１５〜図１８を参照して、上述した第１及び第２実施例を含む実施形態の動作をサポートするｅＮＢ１２及びＵＥ１１の構成例について説明する。
【０１２３】
（ｅＮＢ１２の構成例）
図１５は、一実施形態に係るｅＮＢ１２の構成例を示すブロック図である。図１５に示すように、ｅＮＢ１２は、例示的に、アンテナ１２０、送信部１２１、受信部１２２、及び、制御部１２３を備えてよい。
【０１２４】
アンテナ１２０は、例示的に、送信部１２１から出力される無線（ＲＦ）信号を空間へ放射し、また、空間からＲＦ信号を受信して受信部１２２に出力する。図１５の例において、アンテナ１２０は、送信部１２１と受信部１２２とに共用であるが個別であってもよい。
【０１２５】
送信部１２１は、例示的に、ＵＥ１１宛に送信するＤＬの無線信号を生成してアンテナ１２０へ出力する。
【０１２６】
受信部１２２は、例示的に、ＵＥ１１が送信してアンテナ１２０で受信されたＵＬの無線信号を受信し、受信した無線信号の復調及び復号を行なう。
【０１２７】
制御部１２３は、例示的に、送信部１２１の動作（別言すると、ＤＬの送信処理）と、受信部１２２の動作（別言すると、ＵＬの受信処理）と、を制御する。なお、「送信処理」及び「受信処理」は、それぞれ、「送信動作」及び「受信動作」と称してもよい。
【０１２８】
送信部１２１は、図１５に例示するように、既知信号生成部１２１１、無線チャネル制御情報生成部１２１２、符号化部１２１３、スクランブル・変調部１２１４、及び、送信無線部１２１５を備えてよい。
【０１２９】
なお、送信部１２１には、例示的に、ｅＮＢ１２が提供する無線エリア（例示的に、セル）に報知する情報を取得して報知情報を生成する報知情報生成部が備えられてもよい。報知情報には、例示的に、システム情報や、無線リソース制御（ＲＲＣ）に関する情報等が含まれてよい。システム情報には、例示的に、マスター情報ブロック（master information block, MIB）及びシステム情報ブロック（system information block, SIB）が含まれてよい。
【０１３０】
既知信号生成部１２１１は、例示的に、制御部１２３による制御に従って、ｅＮＢ１２が提供する無線エリアへ送信する既知信号（例えば、パイロット信号）を生成する。
【０１３１】
無線チャネル制御情報生成部１２１２は、例示的に、制御部１２３（例えば、後述する無線チャネル制御部１２３１）からの制御に従って、無線チャネルの制御情報を生成する。無線チャネルの制御情報には、ＵＥ１１との間のランダムアクセス（ＲＡ）プロシージャに関するメッセージや、ＲＲＣに関する情報等が含まれてよい。
【０１３２】
既述の干渉波コード情報は、報知情報に含まれてもよいし、無線チャネルの制御情報に含まれてもよい。また、既述のＦＤ通信とＨＤ通信との切り替えを制御する制御情報（便宜的に「ＦＤ／ＨＤ制御情報」と称することがある。）についても、報知情報に含まれてもよいし、無線チャネルの制御情報に含まれてもよい。
【０１３３】
なお、上記の各生成部１２１１及び１２１２（既述の報知情報生成部が含まれてよい。）の一部又は全部は、制御部１２３のエレメントであってもよい。
【０１３４】
符号化部１２１３は、例示的に、入力信号を符号化する。符号化部１２１３への入力信号は、例示的に、ＤＬの送信データ信号、既知信号生成部１２１１で生成された既知信号、及び、無線チャネル制御情報生成部１２１２で生成された制御情報のいずれか１以上であってよい。報知情報生成部が備えられる場合には、報知情報も符号化部１２１３に入力されてよい。
【０１３５】
スクランブル・変調部１２１４は、例示的に、符号化部１２１３の出力信号をスクランブルし変調する。スクランブル・変調部１２１４でのスクランブルには、ＤＬの干渉波コード情報が用いられてよい。干渉波コード情報は、既述のとおり、スクランブリングコード、拡散コード、あるいは、スクランブリングコード又は拡散コードを生成するための情報であってよい。
【０１３６】
送信無線部１２１５は、例示的に、スクランブル・変調部１２１４の出力信号の周波数を無線周波数へ変換して、ＤＬの無線信号を生成する。ＤＬの無線信号は、送信無線部１２２５において、適宜に増幅されてよい。
【０１３７】
なお、符号化部１２１３、スクランブル・変調部１２１４、及び、送信無線部１２１５の動作は、例示的に、制御部１２３（例えば、後述する基地局設定制御部１２３２、あるいは、無線チャネル制御部１２３１）によって制御されてよい。
【０１３８】
一方、受信部１２２は、例示的に、受信無線部１２２１、復調・デスクランブル部１２２２、干渉波受信無線部１２２３、干渉波復調・デスクランブル部１２２４、復号部１２２５、及び、無線チャネル品質情報抽出部１２２６を備えてよい。
【０１３９】
受信無線部１２２１は、例示的に、アンテナ１２０で受信されたＵＬの無線信号を適宜に増幅してベースバンド信号に変換してよい。
【０１４０】
復調・スクランブル部１２２２は、例示的に、受信無線部１２２１の出力信号を復調しデスクランブルする。
【０１４１】
干渉波受信無線部１２２３は、例示的に、ＵＬの受信無線信号に対する干渉信号を適宜に増幅してベースバンド信号に変換してよい。なお、ＵＬの受信無線信号に干渉信号が含まれるから、干渉波受信無線部１２２３と受信無線部１２２１とは、１つの受信無線部に統合されても構わない。
【０１４２】
干渉波復調・デスクランブル部１２２４は、例示的に、干渉波受信無線部１２２３の出力信号を、ＤＬの干渉波コード情報を用いて、復調しデスクランブルすることで、ＵＬの受信無線信号に対する干渉信号を識別、抽出する。
【０１４３】
干渉波復調・デスクランブル部１２２４にて識別、抽出された干渉信号は、復調・デスクランブル部１２２２に入力されてよい。これにより、復調・デスクランブル部１２２２は、干渉波復調・デスクランブル部１２２４から入力された干渉信号を、例えば受信無線部１２２１から入力された信号から減算することで、干渉信号の除去又は抑圧を行なう。
【０１４４】
復号部１２２５は、例示的に、復調・デスクランブル部１２２２において上述のごとく干渉信号の除去又は抑圧が施された受信信号を復号する。
【０１４５】
無線チャネル品質情報抽出部１２２６は、例示的に、復号部１２２５にて復号された受信信号から無線チャネル品質に関する情報を抽出する。無線チャネル品質に関する情報は、例示的に、既述のＲＳＲＰやＲＳＲＱ、ＲＳ  ＳＩＲ、ＣＱＩ等であってよい。
【０１４６】
抽出された無線チャネル品質に関する情報は、例示的に、制御部１２３（例えば、無線チャネル制御部１２３１）に入力されて、無線チャネルの制御に用いられてよい。なお、無線チャネル品質情報抽出部１２２６は、制御部１２３のエレメントであってもよい。
【０１４７】
制御部１２３は、例示的に、無線チャネル制御部１２３１、基地局設定制御部１２３２、及び、記憶部１２３３を備えてよい。
【０１４８】
無線チャネル制御部１２３１は、例示的に、ＵＥ１１との間の無線チャネルを制御する。無線チャネルの制御には、例示的に、既述の干渉信号の除去又は抑圧に関する制御（便宜的に「干渉制御」と称してもよい。）や、ＲＡプロシージャに関する制御、ＦＤ通信とＨＤ通信との切り替えに関する制御等が含まれてよい。
【０１４９】
干渉制御に着目すると、制御部１２３は、干渉波コード情報を報知情報あるいは無線チャネルの制御情報に含めてＵＥ１１宛に通知する通知部として機能すると捉えることができる。
【０１５０】
無線チャネルの制御に関する情報は、例示的に、コアノード（例えば、ＭＭＥ３２）や他のｅＮＢ１２との通信によって適宜に送受信されてよい。ｅＮＢ１２同士の通信は、例示的に、Ｘ２インタフェースにて実施されてよい。Ｘ２インタフェースは、基地局間通信インタフェースの一例である。
【０１５１】
基地局設定制御部１２３２は、例示的に、送信部１２１の送信動作、及び、受信部１２２の受信動作の一方又は双方の設定を制御する。
【０１５２】
送信部１２１に対する送信動作の設定制御は、例示的に、符号化部１２１３、スクランブル・変調部１２１４、及び、送信無線部１２１５のいずれか１つ以上に対する設定制御であってよい。
【０１５３】
符号化１２１３に対する設定制御には、例示的に、符号化方式や符号化率等に関する設定制御が含まれてよい。
【０１５４】
スクランブル・変調部１２１４に対する設定制御には、例示的に、スクランブル処理や変調方式に関する設定制御が含まれてよい。
【０１５５】
送信無線部１２１５に対する設定制御には、例示的に、ＤＬの無線信号の送信電力に関する設定制御が含まれてよい。
【０１５６】
受信部１２２に対する受信動作の設定制御は、例示的に、受信無線部１２２１、復調・デスクランブル部１２２２、干渉波受信無線部１２２３、干渉波復調・デスクランブル部１２２４、及び、復号部１２２５のいずれか１つ以上に対する設定制御であってよい。
【０１５７】
受信無線部１２２１及び干渉波受信無線部１２２３の一方又は双方に対する設定制御には、例示的に、受信無線信号の増幅率に関する設定制御が含まれてよい。
【０１５８】
復調・デスクランブル部１２２２に対する設定制御には、例示的に、ＵＥ１１が送信したＵＬのＲＦ信号に用いられたスクランブル処理及び変調方式に対応したデスクランブル処理及び復調方式に関する設定制御が含まれてよい。
【０１５９】
干渉波復調・デスクランブル部１２２４に対する設定制御には、例示的に、干渉波コード情報に関する設定制御、干渉波コード情報に基づくデスクランブル処理に関する設定制御、復調方式に関する設定制御等が含まれてよい。
【０１６０】
復号部１２２５に対する設定制御には、例示的に、ＵＥ１１が送信したＵＬのＲＦ信号に用いられた符号化方式、符号化率に対応した復号処理に関する設定制御が含まれてよい。
【０１６１】
記憶部１２３３は、例示的に、システム情報や、干渉波コード情報、ＦＤ／ＨＤ制御情報等を記憶してよい。なお、記憶部１２３３において記憶する情報は、コアノード（例えば、ＭＭＥ３２）や他のｅＮＢ１２との通信によって適宜に送受信されてよい。
【０１６２】
（ＵＥ１１の構成例）
図１６は、一実施形態に係るＵＥ１１の構成例を示すブロック図である。図１６に示すＵＥ１１は、例示的に、アンテナ１１０、送信部１１１、受信部１１２、及び、制御部１１３を備えてよい。
【０１６３】
アンテナ１１０は、例示的に、送信部１１１から出力されるＲＦ信号を空間へ放射し、また、空間からＲＦ信号を受信して受信部１１２に出力する。図１６の例において、アンテナ１１０は、送信部１１１と受信部１１２とに共用であるが個別であってもよい。
【０１６４】
送信部１１１は、例示的に、ｅＮＢ１２宛に送信するＵＬのＲＦ信号を生成してアンテナ１１０へ出力する。
【０１６５】
受信部１１２は、例示的に、ｅＮＢ１２が送信してアンテナ１１０で受信されたＤＬのＲＦ信号を受信し、受信したＲＦ信号の復調及び復号を行なう。
【０１６６】
制御部１１３は、例示的に、送信部１１１の動作（別言すると、ＵＬの送信処理）と、受信部１１２の動作（別言すると、ＤＬの受信処理）と、を制御する。なお、「送信処理」及び「受信処理」は、それぞれ、既述の「送信動作」及び「受信動作」と同義であると捉えてよい。
【０１６７】
送信部１１１は、例示的に、無線チャネル品質情報生成部１１１１、制御情報生成部１１１２、符号化部１１１３、スクランブル・変調部１１１４、及び、送信無線部１１１５を備えてよい。
【０１６８】
無線チャネル品質情報生成部１１１１は、例示的に、後述する無線チャネル品質測定部１１２８で測定された無線チャネル品質を基に、ｅＮＢ１２宛に送信する無線チャネル品質に関する情報（以下「無線チャネル品質情報」と略称することがある。）を生成する。「無線チャネル品質情報」は、例示的に、既述のＲＳＲＰやＲＳＲＱ、ＲＳ  ＳＩＲ、ＣＱＩ等であってよい。
【０１６９】
制御情報生成部１１１２は、例示的に、制御部１１３（例えば、後述の無線チャネル制御部１１３１）から、ｅＮＢ１２との間の無線チャネルの制御に関する情報を取得して、ｅＮＢ１２宛に送信する制御情報を生成する。
【０１７０】
「無線チャネルの制御」には、例示的に、セル選択制御や、ＲＡプロシージャに関する制御、ＲＲＣコネクションの制御、干渉波コード情報の受信や要求に関する制御、ＦＤ通信とＨＤ通信との間の切り替えに関する制御等が含まれてよい。
【０１７１】
なお、無線チャネル品質情報生成部１１１１及び制御情報生成部１１１２の一方又は双方は、制御部１１３のエレメントであってもよい。
【０１７２】
符号化部１１１３は、例示的に、入力信号を符号化する。符号化部１１１３への入力信号には、例示的に、ＵＬの送信データ信号、無線チャネル品質情報生成部１１１１で生成された無線チャネル品質情報、及び、制御情報生成部１１１２で生成された制御情報のいずれか１以上であってよい。
【０１７３】
スクランブル・変調部１１１４は、例示的に、符号化部１１１３の出力信号をスクランブルし変調する。
【０１７４】
なお、符号化部１１１３での符号化方式や符号化率は、例示的に、制御部１１３（例えば、後述する端末設定制御部１１３２、あるいは、無線チャネル制御部１１３１）によって制御されてよい。
【０１７５】
また、スクランブル・変調部１１１４でのスクランブル処理や変調方式も、例示的に、制御部１１３（例えば、端末設定制御部１１３２、あるいは、無線チャネル制御部１１３１）によって制御されてよい。
【０１７６】
送信無線部１１１５は、例示的に、スクランブル・変調部１１１４から入力される信号の周波数を無線周波数へ変換して、ＵＬのＲＦ信号を生成する。ＵＬのＲＦ信号は、送信無線部１１１５において、適宜に増幅されてよい
【０１７７】
一方、受信部１１２は、図１６に例示するように、受信無線部１１２１、復調・デスクランブル部１１２２、干渉波受信無線部１１２３、干渉波復調・デスクランブル部１１２４、及び、復号部１１２５を備えてよい。また、受信部１１２は、無線チャネル制御情報抽出部１１２６、パイロット信号抽出部１１２７、及び、無線チャネル品質測定部１１２８を備えてよい。
【０１７８】
受信無線部１１２１は、例示的に、アンテナ１１０で受信されたＤＬのＲＦ信号を適宜に増幅してベースバンド信号に変換してよい。
【０１７９】
復調・デスクランブル部１１２２は、例示的に、受信無線部１１２１の出力信号を復調しデスクランブルする。
【０１８０】
干渉波受信無線部１１２３は、例示的に、ＤＬの受信無線信号に対する干渉信号を適宜に増幅してベースバンド信号に変換してよい。なお、ＤＬの受信無線信号に干渉信号が含まれるから、干渉波受信無線部１１２３と受信無線部１１２１とは、１つの受信無線部に統合されても構わない。
【０１８１】
干渉波復調・デスクランブル部１１２４は、例示的に、干渉波受信無線部１１２３の出力信号を、ＵＬの干渉波コード情報を用いて、復調しデスクランブルすることで、ＵＬの受信無線信号に対する干渉信号を識別、抽出する。ＵＬの干渉波コード情報は、例示的に、ｅＮＢ１２から通知されたコード情報であってよく、制御部１１３（例えば、後述の記憶部１１３３）に記憶されてよい。
【０１８２】
干渉波復調・デスクランブル部１１２４にて識別、抽出された干渉信号は、復調・デスクランブル部１１２２に入力されてよい。これにより、復調・デスクランブル部１１２２は、干渉波復調・デスクランブル部１１２４から入力された干渉信号を、例えば受信無線部１１２１から入力された信号から減算することで、干渉信号の除去又は抑圧を行なう。
【０１８３】
復号部１１２５は、例示的に、復調・デスクランブル部１１２２において上述のごとく干渉信号の除去又は抑圧が施された受信信号を復号する。
【０１８４】
無線チャネル制御情報抽出部１１２６は、例示的に、復号部１１２５で復号された受信信号から、無線チャネルの制御情報を抽出する。無線チャネルの制御情報には、例示的に、ＲＡプロシージャに関するメッセージや、干渉波コード情報、ＦＤ／ＨＤ制御情報等が含まれてよい。抽出した制御情報は、例示的に、制御部１１３（例えば、後述の無線チャネル制御部１１３１）に入力されてよい。
【０１８５】
パイロット信号抽出部１１２７は、例示的に、復号部１１２５で復号された受信信号から、パイロット信号を抽出する。抽出したパイロット信号（別言すると、受信パイロット信号）は、例示的に、無線チャネル品質測定部１１２８に入力されてよい。
【０１８６】
無線チャネル品質測定部１１２７は、例示的に、受信パイロット信号を基に、ＤＬの無線チャネル品質（例えば、既述のＲＳＲＰやＲＳＲＱ、ＲＳ  ＳＩＲ、ＣＱＩ等）を測定する。測定結果は、例示的に、制御部１１３（例えば、後述の無線チャネル制御部１１３１）に入力されてよい。また、測定結果は、ｅＮＢ１２宛に通知（フィードバック）するために、送信部１１１の無線チャネル品質情報生成部１１１１に入力されてよい。
【０１８７】
なお、受信部１１２には、復号部１１２５で復号された受信信号から、報知情報を抽出する報知情報抽出部が備えられてもよい。報知情報に、干渉波コード情報やＦＤ／ＨＤ制御情報が設定されていてもよい。
【０１８８】
なお、上述した抽出部１１２６及び１１２７、生成部１１１１及び１１１２、及び、無線チャネル品質測定部１１２８の一部又は全部は、制御部１１３のエレメントであってもよい。
【０１８９】
制御部１１３は、図１６に例示するように、無線チャネル制御部１１３１、端末設定制御部１１３２、及び、記憶部１１３３を備えてよい。
【０１９０】
無線チャネル制御部１１３１は、例示的に、記憶部１１３３に記憶されている情報や、受信信号から抽出された制御情報等を基に、ｅＮＢ１２との間の無線チャネルを制御する。無線チャネルの制御には、例示的に、セル選択に関する制御や、ＲＡプロシージャに関する制御、干渉波コード情報の受信や要求に関する制御、ＦＤ通信とＨＤ通信との間の切り替え関する制御等が含まれてよい。
【０１９１】
端末設定制御部１１３２は、例示的に、送信部１１１の送信動作、及び、受信部１１２の受信動作の一方又は双方の設定を制御する。
【０１９２】
記憶部１１３３は、例示的に、システム情報や、干渉波コード情報、ＦＤ／ＨＤ制御情報等を記憶、管理する。ＦＤ／ＨＤ制御情報は、例示的に、事前に記憶部１１３３に記憶された情報であってもよいし、ｅＮＢ１２から報知された報知情報に含まれていた情報であってもよい。
【０１９３】
送信部１１１に対する送信動作の設定制御は、例示的に、符号化部１１１３、スクランブル・変調部１１１４、及び、送信無線部１１１５のいずれか１つ以上に対する設定制御であってよい。
【０１９４】
符号化部１１１３に対する設定制御には、例示的に、符号化方式や符号化率に関する設定制御が含まれてよい。
【０１９５】
スクランブル・変調部１１１４に対する設定制御には、例示的に、スクランブル処理や変調方式に関する設定制御が含まれてよい。
【０１９６】
送信無線部１１１５に対する設定制御には、例示的に、ＵＬのＲＦ信号の送信電力に関する設定制御が含まれてよい。
【０１９７】
受信部１１２に対する受信動作の設定制御は、例示的に、各部１１２１〜１１２５及び１１２８のいずれか１つ以上に対する設定制御であってよい。
【０１９８】
受信無線部１１２１及び干渉波受信無線部１１２３の一方又は双方に対する設定制御には、例示的に、ＤＬの受信ＲＦ信号の増幅率に関する設定制御が含まれてよい。
【０１９９】
復調・デスクランブル部１１２２に対する設定制御には、例示的に、ｅＮＢ１２が送信したＤＬのＲＦ信号に用いられた変調方式に対応した復調方式に関する設定制御やデスクランブル処理に関する設定制御が含まれてよい。
【０２００】
干渉波復調・デスクランブル部１１２４に対する設定制御には、例示的に、干渉波コード情報に関する設定制御、干渉波コード情報に基づくデスクランブル処理に関する設定制御、復調方式に関する設定制御等が含まれてよい。
【０２０１】
復号部１１２５に対する設定制御には、例示的に、ｅＮＢ１２が送信したＤＬのＲＦ信号に用いられた符号化方式、符号化率に対応した復号処理に関する設定制御が含まれてよい。
【０２０２】
無線チャネル品質測定部１１２８に対する設定制御には、例示的に、無線チャネル品質の測定タイミングに関する設定制御が含まれてよい。例えば、無線チャネル品質測定部１１２８は、既述のようにＦＤ通信の実施期間において無線チャネル品質の測定を行なうように設定制御されてよい。
【０２０３】
（干渉抑圧処理の具体例）
次に、図１７及び図１８を参照して、干渉信号を除去又は抑圧する処理部の構成例について説明する。なお、干渉信号を除去又は抑圧する処理部は、便宜的に、「干渉抑圧処理部」、「干渉制御部」あるいは「干渉キャンセラ」と称してもよい。
【０２０４】
図１７は、一実施形態に係る干渉キャンセラの第１構成例を示すブロック図であり、図１８は、一実施形態に係る干渉キャンセラの第２構成例を示すブロック図である。
【０２０５】
（第１構成例）
図１７に例示するように、第１構成例の干渉キャンセラ２０は、例示的に、復調・デスクランブル部２１と、干渉波復調・デスクランブル部２２と、を備えてよい。
【０２０６】
干渉キャンセラ２０は、図１６に例示したＵＥ１１の受信部１１２、及び、図１５に例示したｅＮＢ１２のそれぞれに適用されてよい。
【０２０７】
例えば、図１７における復調・デスクランブル部２１は、図１６における復調・デスクランブル部１１２２及び図１５における復調・デスクランブル部１２２２に該当してよい。また、図１７における干渉波復調・デスクランブル部２２は、図１６における干渉波復調・デスクランブル部１１２４及び図１５における干渉波復調・デスクランブル部１２２４に該当してよい。
【０２０８】
図１７に例示する干渉キャンセラ２０において、復調・デスクランブル部２１は、例示的に、加算器２１１、復調部２１２、デスクランブル部２１３、及び、スクランブリングコード生成部２１４を備えてよい。
【０２０９】
また、干渉波復調・デスクランブル部２２は、例示的に、干渉波復調部２２１、相関算出部２２２、及び、干渉波スクランブリングコード生成部２２３を備えてよい。
【０２１０】
復調・デスクランブル部２１において、加算器２１１は、例示的に、受信無線部１１２１（又は１２２１）から出力される受信信号と、干渉波復調・デスクランブル部２２の出力信号と、を加算する。
【０２１１】
ここで、干渉波復調・デスクランブル部２２の出力信号は、例示的に、負の値を有する干渉信号である。したがって、加算器２１１では、実質的に、受信信号から干渉信号が減算される。これにより、受信信号において干渉信号が除去又は抑圧される。なお、干渉波復調・デスクランブル部２２の出力信号の正負を反転させれば、加算器２１１は、減算器に置換されてよい。
【０２１２】
復調部２１２は、例示的に、加算器２１１によって干渉信号が除去又は抑圧された受信信号を復調する。したがって、復調された信号の受信ＳＩＲが向上する。
【０２１３】
デスクランブル部２１３は、例示的に、復調部２１２で復調された信号を、スクランブリングコード生成部２１４によって生成されたスクランブリングコードを用いて、デスクランブルする。
【０２１４】
スクランブリングコード生成部２１４は、例示的に、スクランブリングコードを生成するための情報の入力を受けて、スクランブリングコードを生成する。当該スクランブリングコードは、希望波信号を受信、識別するためのコードの一例である。
【０２１５】
スクランブリングコードを生成するための情報は、ＵＥ１１においては制御部１１３（例えば、端末設定制御部１１３２）から与えられてよく、ｅＮＢ１２においては制御部１２３（例えば、基地局設定制御部１２３２）から与えられてよい。
【０２１６】
一方、干渉波復調・デスクランブル部２２において、干渉波復調部２２１は、例示的に、干渉受信無線部１１２３（又は１２２３）から入力される信号を復調する。
【０２１７】
相関算出部２２２は、例示的に、干渉波復調部２２１で復調された信号と、干渉波スクランブリングコード生成部２２３で生成された、干渉信号のスクランブリングコードと、の相関を算出する。そして、相関算出部２２２は、相関算出結果において、相対的に相関が高い信号を干渉信号と識別（「特定」と称してもよい。）して、特定した干渉信号を加算器２１１に出力する。
【０２１８】
以上の干渉波復調部２２１及び相関算出部２２２による復調及び相関算出は、受信信号に含まれる干渉信号を復調して再生成する処理と捉えてもよい。
【０２１９】
干渉波スクランブリングコード生成部２２３は、例示的に、干渉波コード情報の入力を受けて、相関算出部２２２による相関算出に用いられるスクランブリングコードを生成する。干渉波コード情報は、ＵＥ１１においては制御部１１３（例えば、端末設定制御部１１３２）から与えられてよく、ｅＮＢ１２においては制御部１２３（例えば、基地局設定制御部１２３２）から与えられてよい。
【０２２０】
なお、ＵＥ１１においては、例示的に、ＤＬ受信に対して他のＵＥ１１のＵＬ送信が干渉となり得る。そのため、ＵＥ１１の受信部１１２において、相関算出に用いられるスクランブリングコードは、他のＵＥ１１のＵＬ通信に用いられるスクランブリングコードであってよい。他のＵＥ１１がＵＬ通信に使用するスクランブリングコードは、ｅＮＢ１２が把握しているから、既述のように、干渉波コード情報としてｅＮＢ１２から通知される。
【０２２１】
これに対し、ｅＮＢ１２においては、例示的に、或るＵＥ１１からのＵＬ受信に対して当該ｅＮＢによるＤＬ送信又は他のＵＥ１１のＵＬ送信が干渉となり得る。そのため、ｅＮＢ１２の受信部１２２において、相関算出に用いられるスクランブリングコードは、当該ｅＮＢがＤＬ送信に使用するスクランブリングコード、又は、他のＵＥ１１がＵＬ送信に使用するスクランブリングコードであってよい。ｅＮＢ１２は、ＵＥ１１とは異なり、これらのスクランブリングコードを把握しているから、干渉波コード情報の通知を受けなくて構わない。
【０２２２】
相関算出部２２２での相関算出は、干渉となり得る他の通信が複数存在すれば、複数の他の通信で使用されるスクランブリングコードのそれぞれを用いて実施されてよい。例えば、ＵＥ１１において、ｅＮＢ１２から干渉波コード情報として複数のスクランブリングコードが通知されていれば、当該スクランブリングコードのそれぞれと、干渉波復調部２２１で復調された信号と、の相関が相関算出部２２２において算出されてよい。
【０２２３】
以上のように、受信部１１２（又は１２２）では、干渉波コード情報を用いて受信信号をデスクランブリングすることで干渉信号成分を識別する。そして、識別した干渉信号成分を受信信号から減じた結果に、希望波信号を受信、識別するためのスクランブリングコードを用いたデスクランブリングを適用する。これにより、希望波信号の受信ＳＩＲを向上できる。
【０２２４】
（第２構成例）
図１８に例示する干渉キャンセラ４０は、図１７に例示した第１構成例に比して、スクランブリングコードに代えて拡散コードを用いる点が異なる。
【０２２５】
例えば、干渉キャンセラ４０は、逆拡散部４１３及び拡散コード生成部４１４を含む復調・逆拡散部４１と、逆拡散部４２２及び干渉波拡散コード生成部４２３を含む干渉波復調・逆拡散部４２と、を備えてよい。
【０２２６】
復調・逆拡散部４１には、逆拡散部４１３及び拡散コード生成部４１４の他、例示的に、加算器４１１、及び、復調部４１２が備えられてよい。加算器４１１及び復調部４１２は、それぞれ、図１７に例示した加算器２１１及び復調部２１２と同等でよい。
【０２２７】
逆拡散部４１３は、復調部４１２で復調された信号を、拡散コード生成部４１４で生成された、干渉信号の拡散コードを用いて逆拡散する。
【０２２８】
干渉波復調・逆拡散部４２には、逆拡散部４２２及び干渉波拡散コード生成部４２３の他、例示的に、干渉波復調部４２１が備えられてよい。
【０２２９】
干渉波復調部４２１は、図１７に例示した干渉波復調部２２１と同等でよい。逆拡散部４２２は、干渉波復調部４２１で復調された信号を、干渉波拡散コード生成部４２３で生成された、干渉信号の拡散コードを用いて逆拡散する。
【０２３０】
なお、図１８に例示する干渉キャンセラ４０は、図１７に例示した第１構成例と同様、図１６に例示したＵＥ１１の受信部１１２、及び、図１５に例示したｅＮＢ１２のそれぞれに適用されてよい。
【０２３１】
例えば、図１６における復調・デスクランブル部１１２２及び図１５における復調・デスクランブル部１２２２は、図１８における復調・逆拡散部４１に置き換えられてよい。また、図１６における干渉波復調・デスクランブル部１１２４及び図１５における干渉波復調・デスクランブル部１２２４は、図１８における干渉波復調・逆拡散部４２に置き換えられてよい。
【０２３２】
復調・逆拡散部４１において、拡散コード生成部４１４は、例示的に、干渉波コード情報の入力を受けて、拡散コードを生成する。拡散コードを生成するための情報は、ＵＥ１１においては制御部１１３（例えば、端末設定制御部１１３２）から与えられてよく、ｅＮＢ１２においては制御部１２３（例えば、基地局設定制御部１２３２）から与えられてよい。
【０２３３】
干渉波復調・逆拡散部４２において、干渉波拡散コード生成部４２３は、例示的に、干渉信号の拡散コードを生成するための情報の入力を受けて、逆拡散部４２２での逆拡散に用いられる拡散コードを生成する。
【０２３４】
干渉波コード情報は、ＵＥ１１においては制御部１１３（例えば、端末設定制御部１１３２）から与えられてよく、ｅＮＢ１２においては制御部１２３（例えば、基地局設定制御部１２３２）から与えられてよい。
【０２３５】
逆拡散部４２２での逆拡散によって干渉信号が抽出、識別されて当該干渉信号が加算器４１１に入力される。
【０２３６】
加算器４１１は、例示的に、受信無線部１１２１（又は１２２１）から出力される受信信号と、干渉波復調・逆拡散部４２において得られた干渉信号と、を加算する。
【０２３７】
第１構成例と同様に、干渉波復調・逆拡散部４２から出力される干渉信号は、負の値を有していてよい。したがって、加算器４１１では、実質的に、受信信号から干渉信号が減算される。これにより、受信信号において干渉信号が除去又は抑圧される。なお、干渉波復調・逆拡散部４２の出力信号の正負を反転させれば、加算器４１１は、減算器に置換されてよい。
【０２３８】
加算器４１１によって干渉信号が除去又は抑圧された受信信号は、復調部４１２にて復調され、逆拡散部４１３にて逆拡散される。したがって、受信信号の受信ＳＩＲが向上する。また、第２構成例では、第１構成例に比して、逆拡散によるゲイン向上が期待できる。
【０２３９】
なお、ＵＥ１１においては、例示的に、ＤＬ受信に対して他のＵＥ１１のＵＬ送信が干渉となり得る。そのため、ＵＥ１１の受信部１１２において、逆拡散に用いられる拡散コードは、他のＵＥ１１のＵＬ通信に用いられる拡散コードであってよい。他のＵＥ１１がＵＬ通信に使用する拡散コードは、ｅＮＢ１２が把握しているから、既述のように、干渉波コード情報としてｅＮＢ１２から通知される。
【０２４０】
これに対し、ｅＮＢ１２においては、例示的に、或るＵＥ１１からのＵＬ受信に対して当該ｅＮＢによるＤＬ送信又は他のＵＥ１１のＵＬ送信が干渉となり得る。そのため、ｅＮＢ１２の受信部１２２において、逆拡散に用いられる拡散コードは、当該ｅＮＢがＤＬ送信に使用する拡散コード、又は、他のＵＥ１１がＵＬ送信に使用する拡散コードであってよい。ｅＮＢ１２は、ＵＥ１１とは異なり、これらの拡散コードを把握しているから、干渉波コード情報の通知を受けなくて構わない。
【０２４１】
逆拡散部４２２での逆拡散は、干渉となり得る他の通信が複数存在すれば、複数の他の通信で使用される拡散コードのそれぞれを用いて実施されてよい。例えば、ＵＥ１１において、ｅＮＢ１２から干渉波コード情報として複数の拡散コードが通知されていれば、当該拡散コードのそれぞれを用いて、干渉波復調部４２１で復調された信号が、逆拡散部４２２において逆拡散されてよい。
【０２４２】
（比較例）
次に、上述した実施形態の比較例として、ＮＡＩＣＳについて説明する。「ＮＡＩＣＳ」は、「network-assisted interference cancellation and suppression」の略称である。
【０２４３】
ＮＡＩＣＳでは、ＤＬのＭＵ−ＭＩＭＯ伝送を前提とするため、基地局には干渉制御機能は備えられない。なお、「ＭＵ−ＭＩＭＯ」は、「multi user multiple-input and multiple-output」の略称である。ＭＵ−ＭＩＭＯを説明する前に、ＳＵ（single user）−ＭＩＭＯについて説明する。
【０２４４】
ＳＵ−ＭＩＭＯは、例えば基地局と１つの無線端末との間に複数の伝送路を設定することによって伝送容量（例えば、一度の送信で伝送可能な情報量）を改善する技術であり、個々の伝送路で伝送される情報は「ストリーム」と称される。
【０２４５】
無線端末におけるＤＬ受信では、個々のストリームを分離して復調する。ストリーム分離の方法としては、伝送路行列を推定することで分離を行なう方法や、「プリコーディング」と呼ばれる方法等がある。
【０２４６】
プリコーディングでは、送信に際して個々のストリームに対してコードを乗算し、受信側において当該コードを用いてストリームを分離する。プリコーディングは、例えば、Ｗ−ＣＤＭＡや、ＬＴＥのＭＩＭＯ伝送に用いられている。「Ｗ−ＣＤＭＡ」は、「wideband code division multiple access」の略称である。
【０２４７】
ＭＵ−ＭＩＭＯは、プリコーディングを用いて、複数の伝送路を伝送される複数のストリームを複数の無線端末で使用する。これにより、ＭＵ−ＭＩＭＯでは、同じ無線リソースを用いて複数の無線端末と同時に通信を行なうことが可能である。ただし、ストリーム間で干渉が生じる場合があり、その干渉対策の一例としてＮＡＩＣＳが検討されている。
【０２４８】
ＮＡＩＣＳは、既述のとおりＳＵ−ＭＩＭＯを前提とするため、無線端末において、ＤＬの受信希望波信号に対して他の無線端末向けのＤＬ信号が干渉することを想定しており、干渉の除去又は抑圧する対象はＤＬ信号である。
【０２４９】
これに対し、上述した実施形態では、ＤＬの受信信号に対してＵＬの送信信号が干渉するケースを想定に含む。ＵＬの送信信号の送信元は、無線端末自身、あるいは、他の無線端末である。
【０２５０】
ＵＬの送信信号の送信元が他の無線端末である場合、無線端末が異なれば、端末識別情報（例えば、Ｃ−ＲＮＴＩ）が異なるため、端末識別情報を用いて生成されるスクランブリングコードも異なる。
【０２５１】
なお、Ｗ−ＣＤＭＡでは、無線リソースを拡散コードで分割、識別するため、ＭＵ−ＭＩＭＯ伝送において、同じ無線端末であれば拡散コードは同一でよい。したがって、Ｗ−ＣＤＭＡのＭＵ−ＭＩＭＯ伝送において、無線端末は、他の無線端末の拡散コードの情報を知らなくても、自身の拡散コードの情報を知っていれば干渉の除去又は抑圧が可能である。
【０２５２】
一方、干渉を除去又は抑圧する対象が他の無線端末のＵＬ信号である場合、当該無線端末は、他の無線端末がＵＬ送信に使用するコード情報を知る必要がある。
【０２５３】
しかし、無線端末は、干渉となるＵＬ信号の送信元である他の無線端末を識別、特定することはできない。干渉となるＵＬ信号の送信元端末を知り得るのは基地局である。
【０２５４】
そこで、上述した実施形態では、既述のとおり、基地局１２から無線端末１１宛に、無線端末１１でのＤＬ受信に対して干渉となり得る他の通信、例えば、他の無線端末１１がＵＬ送信に使用するコード情報を通知する。
【０２５５】
（その他）
既述の第１実施例及び第２実施例を含む実施形態において、ｅＮＢ１２からＵＥ１１宛に通知する対象の干渉波コード情報は、ｅＮＢ１２による全ての通信で使用されるコード情報としてもよい。
【０２５６】
例えば、ｅＮＢ１２は、ＵＥ１１との無線チャネル設定時等において、ＵＥ１１に対して全ての通信で使用されるコード情報を通知してよく、ＵＥ１１は、通知されたコード情報を記憶してよい。
【０２５７】
図１９（Ａ）及び図１９（Ｂ）に一例を模式的に示す。図１９（Ａ）及び図１９（Ｂ）において、ｅＮＢ１２は、ＵＥ１１ＡとＵＥ１１Ｂと通信することが可能である。
【０２５８】
ここで、例えば図１９（Ａ）に示すように、ｅＮＢ１２は、第１のＵＥ１１Ａへ第１のスクランブリングコード（又は拡散コード）Ｓｃ＃１を用いてＤＬ送信を行なう。また、第２のＵＥ１１Ｂは、ｅＮＢ１２へ第２のスクランブリングコード（又は拡散コード）Ｓｃ＃２を用いてＵＬ送信を行なう。
【０２５９】
更に、図１９（Ｂ）に例示するように、第１のＵＥ１１Ａは、ｅＮＢ１２へ第３のスクランブリングコード（又は拡散コード）Ｓｃ＃３を用いてＵＬ送信を行なう。また、ｅＮＢ１２は、第２のＵＥ１１Ｂへ第４のスクランブリングコード（又は拡散コード）Ｓｃ＃４を用いてＤＬ送信を行なう。
【０２６０】
なお、図１９（Ａ）及び図１９（Ｂ）に例示するＵＬ及びＤＬの各通信は、同一周波数（ｆ１）にて実施されてよく、また、異なる時期に実施されてもよいし同時期に実施されてもよい。ただし、信号間干渉が問題になるのは同一周波数（ｆ１）を用いた同時期の通信である。
【０２６１】
ｅＮＢ１２は、第２のスクランブリングコード（又は拡散コード）Ｓｃ＃２に限らず、第１〜第４のスクランブリングコード（又は拡散コード）Ｓｃ＃１〜Ｓｃ＃４の全てを、第１のＵＥ１１Ａに通知してよい。なお、Ｓｃ＃１〜Ｓｃ＃４は、それぞれ、第１〜第４のコード系列の一例である。
【０２６２】
第１のＵＥ１１Ａは、第１のスクランブリングコード（又は拡散コード）Ｓｃ＃１を用いたＤＬ受信と、第３のスクランブリングコード（又は拡散コード）を用いたＵＬ送信と、を同一周波数（ｆ１）にて同時期に実施することができる。
【０２６３】
別言すると、ＵＥ１１Ａは、同一無線リソースを用いてｅＮＢ１２とＦＤ通信が可能である。例えば、ｅＮＢ１２において、制御部１２３（図１５参照）は、送信部１２１によるＤＬ送信と、受信部１２２によるＵＬ受信と、が同一周波数（ｆ１）にて実施されるように、送信部１２１及び受信部１２２の動作を制御してよい。
【０２６４】
なお、コード情報は、例えば、ＵＥ１１の製造時等に全ての通信で使用されるコード情報を、ＵＥ１１（例えば、図１６の記憶部１１３３）に予め記憶させておいてもよい。
【０２６５】
また、干渉波コード情報は、例示的に、ｅＮＢ１２間で送受信されてもよい。干渉波コード情報をｅＮＢ１２間で送受信することで、例えば、異なるｅＮＢ１２に接続するＵＥ１１間の干渉を除去又は抑圧することが可能である。また、ＵＥ１１が接続しているｅＮＢ１２（例えば、サービングセル）とは異なるｅＮＢ１２の通信によるＵＥ１１に対する干渉を除去又は抑圧することも可能になる。
【符号の説明】
【０２６６】
１  無線通信システム
１１，１１Ａ，１１Ｂ  無線端末（ＵＥ）
１１０  アンテナ
１１１  送信部
１１１１  無線チャネル品質情報生成部
１１１２  制御情報生成部
１１１３  符号化部
１１１４  スクランブル・変調部
１１１５  送信無線部
１１２  受信部
１１２１  受信無線部
１１２２  復調・デスクランブル部
１１２３  干渉波受信無線部
１１２４  干渉波復調・デスクランブル部
１１２５  復号部
１１２６  無線チャネル制御情報抽出部
１１２７  パイロット信号抽出部
１１２８  無線チャネル品質測定部
１１３  制御部
１１３１  無線チャネル制御部
１１３２  端末設定制御部
１１３３  記憶部
１２  基地局（ｅＮＢ）
１２０  アンテナ
１２１  送信部
１２１１  既知信号生成部
１２１２  無線チャネル制御情報生成部
１２１３  符号化部
１２１４  スクランブル・変調部
１２１５  送信無線部
１２２  受信部
１２２１  受信無線部
１２２２  復調・デスクランブル部
１２２３  干渉波受信無線部
１２２４  干渉波復調・デスクランブル部
１２２５  復号部
１２２６  無線チャネル品質情報抽出部
１２３  制御部
１２３１  無線チャネル制御部
１２３２  基地局設定制御部
１２３３  記憶部
１３  コアネットワーク
２０，４０  干渉抑圧処理部（干渉キャンセラ）
２１  復調・デスクランブル部
２１１  加算器
２１２  復調部
２１３  デスクランブル部
２１４  スクランブリングコード生成部
２２  干渉波復調・デスクランブル部
２２１  干渉波復調部
２２２  相関算出部
２２３  干渉波スクランブリングコード生成部
４１  復調・逆拡散部
４１１  加算器
４１２  復調部
４１３  逆拡散部
４１４  拡散コード生成部
４２  干渉波復調・逆拡散部
４２１  干渉波復調部
４２２  逆拡散部
４２３  干渉波拡散コード生成部
３１  ＳＧＷ
３２  ＭＭＥ
３３  ＰＧＷ
【図１】
0006575681.tif 000002
【図２】
0006575681.tif 000003
【図３】
0006575681.tif 000004
【図４】
0006575681.tif 000005
【図５】
0006575681.tif 000006
【図６】
0006575681.tif 000007
【図７】
0006575681.tif 000008
【図８】
0006575681.tif 000009
【図９】
0006575681.tif 000010
【図１０】
0006575681.tif 000011
【図１１】
0006575681.tif 000012
【図１２】
0006575681.tif 000013
【図１３】
0006575681.tif 000014
【図１４】
0006575681.tif 000015
【図１５】
0006575681.tif 000016
【図１６】
0006575681.tif 000017
【図１７】
0006575681.tif 000018
【図１８】
0006575681.tif 000019
【図１９】
0006575681.tif 000020